(57)【要約】【課題】この考案の課題は、斬新なデザインでありながら身体の着衣に取り付けることが容易であり、応援対象となるチームや選手の名前などが表示できると共に、その応援グッズを揺らすことでさわやかな鈴の音が聞こえるという、簡単な構造であるにもかかわらず、周囲の注目を浴びかつ使い易さにも優れるという特徴のある応援用グッズを提供することにある。【解決手段】リボン部材の一端に吊り下げ用の係止部材を備え、そのリボン部材の表面部には応援する選手やチームなどの応援対象に関する情報を表示する応援対象表示欄を備え、そのリボン部材における係止部材取り付け位置の反対側の端部には鳴り子部材を取り付けたことを特徴とする。【選択図】図１
0003146451.tif 000002
【実用新案登録請求の範囲】
【請求項１】
リボン部材の一端に吊り下げ用の係止部材を備え、そのリボン部材の表面部には応援する選手やチームなどの応援対象に関する情報を表示する応援対象表示欄を備え、そのリボン部材における係止部材取り付け位置の反対側の端部には鳴り子部材を取り付けたことを特徴とする応援用グッズ。
【請求項２】
請求項１に記載の応援用グッズにおいて、吊り下げ用の係止部材をクリップで形成したことを特徴とする応援用グッズ。
【請求項３】
請求項１又は２に記載の応援用グッズにおいて、鳴り子部材をリング部材を介してリボン部材に取り付けるようにしたことを特徴とする応援用グッズ。
【考案の詳細な説明】
【技術分野】
【０００１】
本考案は、斬新な形態の応援用グッズにかかり、さらに詳しくは野球、サッカー、ラグビー、アイスホッケー、バレーボールなどのスポーツ観戦時に、応援をする観衆が着衣に取り付けて応援し、応援者が身体を揺り動かしたり、飛び上がったりするたびに鈴の音が鳴り響き、この応援グッズを身に着けた応援者が集団で一まとまりになると、その鈴の音が大きな共鳴音となってスタンド、アリーナ、球場等の会場に鳴り響き、一層応援の迫力を増すことができる応援用グッズに関する。
【背景技術】
【０００２】
従来使われているスポーツ観戦時の応援用グッズとしては、メガホン、応援スティックバルーン、チアーホーンなどがある。
これらの応援グッズは、持ち易く、適度の応援音を発することができることがポイントとなる。
【０００３】
【特許文献１】実用新案登録第３０５０１６０号公報
【特許文献２】実用新案登録第３１４３５８１号公報
【考案の開示】
【考案が解決しようとする課題】
【０００４】
しかしながら、上記したような応援用グッズは、いずれも手で持ちながら使用するものであるため、応援中に飲食をしたり、タオルで汗を拭いたりするときには手から離さなければならず、また再度手で保持しようとする際には小物が散乱する周辺から、応援グッズがどこにあるか探し回らなければならなかった。そのため、使い勝手のよい新型の応援用グッズの出現が望まれていた。
従って、本考案の目的は、斬新なデザインでありながら身体の着衣に取り付けることが容易であり、応援対象となるチームや選手の名前などが表示できると共に、その応援グッズを揺らすことでさわやかな鈴の音が聞こえるという、簡単な構造であるにもかかわらず、周囲の注目を浴びかつ使い易さにも優れるという特徴のある応援用グッズを提供することにある。
【課題を解決するための手段】
【０００５】
前記課題を解決するために、請求項１に記載の考案は、リボン部材の一端に吊り下げ用の係止部材を備え、そのリボン部材の表面部には応援する選手やチームなどの応援対象に関する情報を表示する応援対象表示欄を備え、そのリボン部材における係止部材取り付け位置の反対側の端部には鳴り子部材を取り付けたことを特徴とする応援用グッズである。
【０００６】
上記の本考案に係る応援用グッズは、吊り下げ用の係止部材にてリボン部材を着衣にワンタッチで取り付けるので取り付け後は両手が解放され、応援用グッズを着衣に取り付けたままの状態で応援する。
【０００７】
前記課題を解決するために、請求項２に記載の考案では、請求項１に記載の応援用グッズにおいて、吊り下げ用の係止部材をクリップで形成したことを特徴とする応援用グッズである。
【０００８】
上記の本考案に係る応援用グッズは、クリップの挟み動作で応援用グッズを着衣へ取り付ける。
【０００９】
前記課題を解決するために、請求項３に記載の考案では、請求項１又は２に記載の応援用グッズにおいて、鳴り子部材をリング部材を介してリボン部材に取り付けるようにしたことを特徴とする応援用グッズである。
【００１０】
上記の本考案に係る応援用グッズは、リング部材を介して鳴り子部材を取り付けることとなる。
【考案の効果】
【００１１】
上記の請求項１に記載の考案によれば、吊り下げ用の係止部材にてリボン部材を着衣にワンタッチで取り付けが可能となり、取り付け後は両手が解放されているので自由に行動できるようになり、応援者が体を揺らしたり、飛び上がるたびにさわやかな鈴の音を発することができる効果がある。
【００１２】
請求項２に記載の考案によれば、クリップの挟み動作だけで応援用グッズの着衣への取り付け、取り外しが簡単に行えるようになる効果がある。
【００１３】
請求項３に記載の考案によれば、リング部材を介して簡単に取り付けられると共に、鳴り子部材が自由動できる状態に取り付けられているので、鈴の音がきれいになるという効果がある。
【考案を実施するための最良の形態】
【００１４】
以下添付図面に基づいて、本考案に係る応援用グッズの一実施の形態を詳説する。
図１は、本考案に係る応援用グッズの実施形態の一例を示す正面図である。
【００１５】
図１に示されるごとく、本考案の応援用グッズＡは、布、不織布、厚紙、皮革、合成皮革、樹脂性フィルム素材などの適宜素材で形成されるリボン部材１の一端に係止部材２を取り付け、他端には鳴り子部材３が取り付けている。
【００１６】
リボン部材１は、通常短冊状の薄片で形成され、その表面部４には応援対象表示欄５が備えられている。
この応援対象表示欄５には、応援対象となるチーム名や選手名、あるいはそれに代わるシンボルマーク、背番号、キャラクター、写真などが表示され、その応援対象表示欄５を一瞥するだけで、誰のサポーターであるかがすぐに判別できる。そのため、その応援グッズを身につける観衆にとっては、周囲の観衆に特定チームや特定選手の応援をする応援者であることを強くアッピールすることができる。応援対象表示欄５の表示方法は、印刷、刺繍、転写など好みの方法で、文字や数字の選択、縦横の文字列の選択、日本語、英語、その他の言語表記などの選択も自由に表示することになる。
【００１７】
リボン部材１の一端には、クリップを代表として、その他ピン止めなど自由な形態の係止部材２が取り付けられるので、それを利用して、応援者の着衣にワンタッチでリボン部材２を吊り下げることになる。
ここで、係止部材２とリボン部材１とは、リベット止め、リング止め、紐止めなどの適宜手段で結合される。
【００１８】
またリボン部材１の他端には、鈴などで形成され鳴り子部材３（図では３個）が適宜の個数取り付けられている。
ここで、鳴り子部材３とリボン部材１とは、好ましくはリング部材６を介して取り付けると、鳴り子部材３が自由動できる範囲が広がり、それに伴い鳴り子部材３の発する音がきれいで澄んだ音になる。
【００１９】
またリボン部材１を上述の手順で着衣に取り付けると、リボン部材１の下端に取り付けた鳴り子部材３が錘となって、リボン部材１をきれいに展開させた状態に保持することができ、応援対象表示欄５に表記されている文字などが読み易くなる。
【００２０】
このように構成される応援用グッズＡは、応援の前に係止部材２で応援者の着衣に取り付けられ、応援中はそのままの状態で応援を行い、その途中で応援者が体を揺り動かしたり飛び上がったりすると、その動きに合わせて鳴り子部材３が鈴の音を発する。これが、何千人、あるいは何万人という応援者の規模になると、応援会場を揺るがすようなスケールの大きな鈴の音の大合唱になり、壮大な応援効果を発揮できる。
【００２１】
応援活動が終了した場合には、前記の手順とは逆に係止部材２を着衣から取り外すこと（クリップを利用した場合には、ワンタッチで取り外しが可能となる）で、簡単に応援グッズのかたずけを行える。
【産業上の利用可能性】
【００２２】
本考案の応援用グッズは、スポーツの観戦時に応援をするすべての人々に利用されることができ、これを利用することで応援の雰囲気を一気に高められることとなる。
【図面の簡単な説明】
【００２３】
【図１】本考案に係る応援用グッズの実施形態の一例を示す正面図である。
【符号の説明】
【００２４】
Ａ …応援用グッズ
１ …リボン部材
２ …係止部材
３ …鳴り子部材
４ …リボン部材の表面部
５ …応援対象表示欄
６ …リング部材
【図１】
0003146451.tif 000003